(57)【要約】【課題】  記録場所を再び通過したときにその場所で記録した情報を容易かつ迅速に再生することができる記録再生装置及びその制御方法を提供する。【解決手段】  録音時点の走行履歴と時間情報とを記憶した走行履歴ファイルを作成し、この走行履歴ファイルと、現在位置及び現在時間とに基づいて、録音地点を移動中で（ステップＳ１４：Yes）、かつ、現在時間が録音時点の時間情報と一致した場合に（ステップＳ１５：Yes）、再生ボタンを表示させ（ステップＳ１６）、録音内容を再生可能にした。【選択図】      図４
2006268930.tif 000002
【特許請求の範囲】
【請求項１】
現在地を検出する現在地検出手段と、
再生対象となる第１情報を記録すると共に、前記現在地検出手段により前記第１情報の記録地点を取得し、この記録地点を示す第２情報を記録する記録制御手段と、
前記現在地検出手段が検出する現在地が、記録された前記第２情報が示す記録地点に該当するか否かを判定し、記録地点に該当する場合に、前記第２情報に対応する第１情報を再生する再生制御手段と
を備えることを特徴とする記録再生装置。
【請求項２】
前記第２情報は、前記第１情報の記録開始地点から記録終了地点までの移動軌跡を示す情報を含むことを特徴とする請求項１に記載の記録再生装置。
【請求項３】
前記再生制御手段は、前記現在地検出手段が検出する現在地と移動方向とに基づいて、前記第２情報が示す移動軌跡上を同移動方向に移動中か否かを判定し、移動軌跡上を同移動方向に移動中の場合に、前記第２情報に対応する第１情報を再生することを特徴とする請求項２に記載の記録再生装置。
【請求項４】
前記第２情報は、前記第１情報の記録時点を示す時間情報を含み、
前記再生制御手段は、現在地が前記第２情報が示す記録地点に該当し、かつ、現在時間が、前記第２情報の時間情報に対し所定の条件を満足する場合に、前記第２情報に対応する第１情報を再生することを特徴とする請求項１乃至３のいずれかに記載の記録再生装置。
【請求項５】
前記時間情報は、前記第１情報の記録時点の季節であることを特徴とする請求項４に記載の記録再生装置。
【請求項６】
再生対象となる第１情報を記録すると共に、前記第１情報の記録地点を取得し、この記録地点を示す第２情報を記録する記録ステップと、
現在地を検出し、この現在地が、記録された前記第２情報が示す記録地点に該当するか否かを判定し、記録地点に該当する場合に、前記第２情報に対応する第１情報を再生する再生ステップと
を実行することを特徴とする記録再生装置の制御方法。
【発明の詳細な説明】
【技術分野】
【０００１】
本発明は、情報の記録と再生を行う記録再生装置及びその制御方法に関する。
【背景技術】
【０００２】
従来より、音楽データの録音機能や再生機能を備えた車両用の記録再生装置が知られている。この種の記録再生装置は、音楽データを再生する場合、ユーザが記録した音楽データの中から所望の音楽データを選択し、その音楽データの再生を指示する必要がある（例えば、特許文献１）。
【特許文献１】特開２００３−３０３４７１号公報
【発明の開示】
【発明が解決しようとする課題】
【０００３】
しかし、従来の構成は、再生対象の音楽データをユーザが選択する必要があるため、ユーザが録音場所（記録地点）を再び通過したときにその録音場所で録音した音楽データを聞こうとした場合でも、その音楽データを探すのに時間がかかってしまう。
【０００４】
本発明は、上述した事情に鑑みてなされたものであり、記録場所を再び通過したときにその場所で記録した情報を容易かつ迅速に再生することができる記録再生装置及びその制御方法を提供することにある。
【課題を解決するための手段】
【０００５】
上述課題を解決するため、本発明は、記録再生装置において、現在地を検出する現在地検出手段と、再生対象となる第１情報を記録すると共に、前記現在地検出手段により前記第１情報の記録地点を取得し、この記録地点を示す第２情報を記録する記録制御手段と、前記現在地検出手段が検出する現在地が、記録された前記第２情報が示す記録地点に該当するか否かを判定し、記録地点に該当する場合に、前記第２情報に対応する第１情報を再生する再生制御手段とを備えることを特徴とする。この構成によれば、再生対象の第１情報の記録時に、第１情報の記録地点を示す第２情報を記録し、現在地が、第２情報が示す記録地点に該当する場合に、この第２情報に対応する第１情報を再生するので、記録場所を通過したときにその場所で記録した第１情報を容易かつ迅速に再生することができる。
【０００６】
上記構成において、前記第２情報が、前記第１情報の記録開始地点から記録終了地点までの移動軌跡を示す情報を含むようにしてもよい。また、上記構成において、前記再生制御手段が、前記現在地検出手段が検出する現在地と移動方向とに基づいて、前記第２情報が示す移動軌跡上を同移動方向に移動中か否かを判定し、移動軌跡上を同移動方向に移動中の場合に、前記第２情報に対応する第１情報を再生するようにしてもよい。
また、上記構成において、前記第２情報が、前記第１情報の記録時点を示す時間情報を含み、前記再生制御手段が、現在地が前記第２情報が示す記録地点に該当し、かつ、現在時間が、前記第２情報の時間情報に対し所定の条件を満足する場合に、前記第２情報に対応する第１情報を再生するようにしてもよい。また、前記時間情報を、前記第１情報の記録時点の季節としてもよい。
【０００７】
また、本発明は、記録再生装置の制御方法において、再生対象となる第１情報を記録すると共に、前記第１情報の記録地点を取得し、この記録地点を示す第２情報を記録する記録ステップと、現在地を検出し、この現在地が、記録された前記第２情報が示す記録地点に該当するか否かを判定し、記録地点に該当する場合に、前記第２情報に対応する第１情報を再生する再生ステップとを実行することを特徴とする。この構成によれば、再生対象の第１情報の記録時に、第１情報の記録地点を示す第２情報を記録し、現在地が、第２情報が示す記録地点に該当する場合に、この第２情報に対応する第１情報を再生するので、記録場所を通過したときにその場所で記録した第１情報を容易かつ迅速に再生することができる。
【発明の効果】
【０００８】
本発明は、再生対象の第１情報の記録時に、第１情報の記録地点を示す第２情報を記録し、現在地が、第２情報が示す記録地点に該当する場合に、この第２情報に対応する第１情報を再生するので、記録場所を通過したときにその場所で記録した第１情報を容易かつ迅速に再生することができる。
【発明を実施するための最良の形態】
【０００９】
以下、図面を参照して本発明の実施形態を詳述する。
図１は、本発明の録音再生装置の実施形態に係るナビゲーション装置１０の構成を示すブロック図である。
このナビゲーション装置１０は、車両に搭載され、車両の経路案内を行うナビゲーション機能と、ラジオ放送の録音再生機能とを有する装置であり、ＧＰＳ（Global Positioning System）ユニット１１と、ジャイロユニット１２と、車速検出部１３と、ラジオ受信部１４と、ビーコン受信部１５と、表示部１６と、指示入力部１７と、ユーザインタフェース部１８と、報音部１９と、制御部２０と、記録装置２１とから概略構成されている。
【００１０】
ＧＰＳユニット（絶対位置方位検出手段）１１は、ＧＰＳアンテナ（レシーバでも良い）１１Ａを介してＧＰＳ衛星からのＧＰＳ電波を受信し、ＧＰＳ電波に重畳されたＧＰＳ信号から、車両の現在地を示す位置情報（緯度・経度を示す座標）と進行方向とを演算により取得すると共に、ＧＰＳ信号に含まれる日時情報と車両の現在地の時差とから車両の現在地における時間情報（年、月、日、時、分等）を演算により取得し、これら情報を制御部２０に出力する。
ジャイロユニット（相対方位検出手段）１２は、ジャイロセンサにより車両の相対的な方位を検出して制御部２０に出力し、車速検出部１３は、車両の車速パルスＰＳに基づいて車両の速度を演算により求め、制御部２０に出力する。
【００１１】
ラジオ受信部１４は、制御部２０の制御の下、アンテナ１４Ａを介してＦＭ放送波を受信し、ＦＭ放送波に重畳された音声信号を制御部２０に出力する。また、このラジオ受信部１４は、アンテナ１４Ａを介してＦＭ多重放送波を受信する機能も具備し、この放送波に重畳されたＶＩＣＳ（Vehicle Information and Communication System）情報を取得すると、所定の処理を施して制御部２０に出力する。
ビーコン受信部１５は、ビーコン用アンテナ１５Ａを介してビーコン情報を受信し、所定の処理を施して制御部２０に出力する。つまり、ラジオ受信部１４及びビーコン受信部１５は、交通情報を取得する交通情報取得手段として機能している。
【００１２】
表示部１６は、タッチパネル付きの液晶表示装置が適用され、制御部２０の制御の下、各種情報を表示する。指示入力部１７は、ナビゲーション装置１０が備える各種操作子やタッチパネルの操作を検出する操作検出部と、リモートコントローラ（図示せず）からの送信信号を受信する受信部等から構成され、ユーザからの各種指示を制御部２０に出力する。ユーザインタフェース部１８は、Ｉ／Ｏ制御回路やドライバ等であり、表示部１６及び指示入力部１７と、制御部２０とを接続するインターフェースである。
【００１３】
報音部１９は、スピーカとアンプとから構成され、制御部２０の制御の下、案内音声やラジオ音声を報音する。
記録装置２１は、ハードディスク装置等の比較的大容量の記録装置が適用され、地図データ等のナビゲーション用データが予め記録されると共に、制御部２０の制御の下、録音が指示されたラジオ放送の音声データ（録音データファイルＤＡ）等が記憶される。
【００１４】
制御部２０は、このナビゲーション装置１０全体を制御するものであり、ＣＰＵ２０Ａ及び計時回路２０Ｂ等の周辺回路から構成されている。ＣＰＵ２０Ａは、ＲＯＭ３０に記憶された制御プログラム等の各種データを読み出し、指示入力部１７を介して入力されたユーザ指示に応じて、ナビゲーション装置１０の各部の制御処理を行う。
計時回路（日時計時手段）２０Ｂは、日時（例えば、年月日と時刻）を計時するものであり、例えば、リアルタイムクロックが適用される。この計時回路２０Ｂが計時する日時は、ＣＰＵ２０Ａにより表示部１６に適宜表示され、また、この計時回路２０Ｂが計時する日時は、ＧＰＳユニット１１により取得した時間情報に基づいて適宜修正される。
また、このナビゲーション装置１０は、ＣＰＵ２０Ａのワークエリアに使用されるＤＲＡＭ３１、電源がオフの間もメモリ内容を保持するＳＲＡＭ３２、及び、表示データを書き込むＶＲＡＭ３３等の各種メモリを備えている。
【００１５】
上記制御部２０は、指示入力部１７を介してナビゲーションモードへの移行が指示されると、ＣＰＵ２０Ａによりナビゲーションプログラムを実行し、表示部１６に地図等を表示する。より具体的には、制御部２０は、ＧＰＳユニット１１とジャイロユニット１２との検出結果に基づき車両の現在地及び進行方向を特定し、現在地周辺の地図を表示させる。また、制御部２０は、目的地が設定された場合、現在地から目的地までの最適経路を計算し、表示地図中に表示させると共に、計算した最適経路に誘導する案内音声を報音部１９から適宜報音させる。
さらに、制御部２０は、このナビゲーションモード中、ラジオ受信部１４やビーコン受信部１５から各種交通情報を入力すると、その情報を表示する処理（例えば、渋滞情報等を文字表示、簡易図形表示或いは地図表示する処理）を行う。
【００１６】
上記制御部２０は、上記ナビゲーションモード中（非ナビゲーションモード中でも可）、指示入力部１７を介してラジオ受信指示が入力されると、ラジオ受信部１４によりラジオ放送を受信し、その音声を報音部１９から報音させ、また、ラジオ放送局の変更が指示されると、受信周波数を切り替え、他のラジオ放送局の音声を報音部１９から報音させる。なお、このラジオ放送の受信及び報音は、ユーザの指示に応じて上記ナビゲーションモード中でも実行可能に構成されている。
また、本構成では、ナビゲーション装置１０がラジオ放送の録音（録音開始、録音終了）を指示する一又は複数の操作子を備えており、ラジオ受信中に、ユーザにより録音開始が指示されると、制御部２０がラジオ音声の録音処理を実行する。なお、録音開始や録音終了等の各種指示は、タッチパネルの操作を介して指示されるものであってもよい。
【００１７】
図２は、録音処理を示すフローチャートである。制御部２０は、録音処理を実行すると、ラジオ受信部１４から入力される音声信号から録音データファイル（第１情報）ＤＡを作成する処理（録音データファイル作成処理）を開始する（ステップＳ１）。具体的には、制御部２０は、ラジオ受信部１４から入力される音声信号をアナログデジタル変換し、デジタル変換後の音声データに所定の圧縮処理を施して、圧縮音声データを作成し、この圧縮音声データの録音データファイルＤＡを作成する。
【００１８】
また、制御部２０は、この録音データファイル作成処理と並行して、録音地点を示す走行履歴ファイル（第２情報）ＤＢを作成する処理（走行履歴作成処理）を開始する（ステップＳ２）。具体的には、制御部２０は、ＧＰＳユニット１１により現在地の位置情報（緯度・経度を示す座標）を所定の時間間隔で取得すると共に、計時回路２０Ｂから位置情報取得時の時間情報を取得し、これら情報を含む走行履歴ファイルＤＢを作成する。
そして、制御部２０は、録音終了指示を入力すると（ステップＳ３：Yes）、上記録音データファイル作成処理及び走行履歴作成処理を終了し（ステップＳ４）、録音データファイルＤＡ及び走行履歴ファイルＤＢを記録装置２１に格納する（ステップＳ５）。
このようにして、ユーザが録音を指示する毎に録音データファイルＤＡと、このファイルに対応する走行履歴ファイルＤＢとが作成され、これらファイルＤＢが記録装置２１に蓄積される。
【００１９】
上記走行履歴ファイルＤＢは、図３に一例を示すように、走行履歴として、録音開始から録音終了までの位置情報（自車位置情報１、２…）が記述される他、録音開始時間（例えば、日付、時刻、午前／午後）と、各位置情報に対応づけて差分時間（録音開始時刻と、位置情報取得時の時刻の差分時間）とからなる時間情報、及び、録音データファイルＤＡのファイル名が記述される。以上が録音処理の動作である。
【００２０】
上記録音データファイルＤＡは、ユーザの再生指示に応じて制御部２０が再生し、報音部１９を介して再生音声を報音させる。これによって、ユーザは、事前に録音したラジオ放送を任意のタイミングで聞くことができる。
また、本構成では、ＧＰＳユニット１１により検出される現在地が、いずれかの録音データファイルＤＡの録音地点（記憶地点）に位置すると、その録音データファイルＤＡを再生可能にする自動再生機能を具備している。以下、この録音内容自動再生処理について説明する。
【００２１】
図４は、録音内容自動再生処理を示すフローチャートである。以下、この処理をナビゲーションモード中に実行する場合を例に説明する。この処理中、表示部１６には、図５に示すように、現在地周辺の地図と現在地（図５中、アイコンＰが示す位置が現在地である）が表示されている。また、この図は、更にラジオ受信を行っている場合の表示例であり、表示部１６には、現在受信中のラジオ情報Ｑと録音開始ボタンＲが表示されている。
図４に示すように、制御部２０は、まず、ＧＰＳユニット１１及びジャイロユニット１２の検出結果から自車が現在走行中か否かを判定し（ステップＳ１１）、走行中でない場合は（ステップＳ１１：No）、ステップＳ２０の処理に移行する。このステップＳ２０の処理においては、制御部２０は、表示部１６に後述する再生ボタンＳが表示されていればこれを非表示させる。この処理を行った後は、通常処理（ナビゲーションモード中の処理）に戻り、所定の割り込み周期で、上記ステップＳ１１の処理が実行され、つまり、録音内容自動再生処理が繰り返し実行される。
【００２２】
上記ステップＳ１０の判定で走行中と判定された場合、制御部２０は、記録装置２１に走行履歴ファイルＤＢが存在するか否かを判定し（ステップＳ１１）、存在しない場合は（ステップＳ１２：No）、ステップＳ１１の処理に移行する一方、存在する場合は（ステップＳ１２：Yes）、走行履歴ファイルＤＢ中の走行履歴を自車が走行中か否かを確認する確認処理を実行する（ステップＳ１３）。
この確認処理においては、制御部２０が、記録装置２１に蓄積された走行履歴ファイルＤＢの中から、現在地の位置情報から所定範囲内の位置情報を含む走行履歴ファイルＤＢを検索する。そして、検索された場合、制御部２０は、自車の現在地と進行方向（移動方向）とに基づいて、検索された走行履歴ファイルＤＢが示す走行履歴（移動軌跡）上を走行中か否かを判定する。
【００２３】
この場合、制御部２０は、図６に示すように、第１の判断条件として、進行方向α１と、走行履歴ファイルＤＢ中の２点間（（Ｘｎ、Ｙｎ）、（Ｘ（ｎ＋１）、Ｙ（ｎ＋１））のベクトル方向α２との差異が予め定めた設定範囲か否かを判断し、第２の判断条件として、自車位置（現在地）β１と、２点間を結ぶ線分β２との距離Ｌが予め定めた設定距離内か否かを判断する。制御部２０は、上記判断条件を全て満足するか否かを判定し、これによって、走行履歴ファイルＤＢ中の走行履歴（移動軌跡）上を同方向に移動中か否かが判断される。
【００２４】
制御部２０は、走行履歴上を同方向に移動中でない場合（ステップＳ１４：No）、ステップＳ２０の処理に移行する一方、走行履歴上を同方向に移動中の場合（ステップＳ１４：Yes）、走行履歴ファイルＤＢ中の時間情報を参照し、この時間情報と現在時間とが予め定めた一致条件を満足するか否かを判定する（ステップＳ１５）。本構成では、一致条件として、午前／午後が一致するか否かを判定する場合を説明するが、例えば、時刻の一致（例えば、両時間情報が１５時なら一致と判定、又は、両時間の差が数時間以内なら一致と判定）、年を除く日付（月日又は月）の一致、又は日付から特定される季節（春夏秋冬）の一致を判定してもよい。
【００２５】
このステップＳ１５の判定において、制御部２０は、一致条件を満足しない場合、ステップＳ２０の処理に移行する一方（ステップＳ１５：No）、一致条件を満足する場合（ステップＳ１５：Yes）、図７に示すように、表示部１６に再生ボタンＳを表示させる（ステップＳ１６）。そして、再生ボタンＳがタッチパネルを介してタッチ操作されたか否かを判定し、タッチ操作を検出した場合、制御部２０は、走行履歴ファイルＤＢに対応する録音データファイルＤＡの再生を行う（ステップＳ１８）。これによって、現在地で過去に録音した録音内容（ラジオ放送）が報音される。
一方、再生ボタンＳが表示されても操作されない場合、制御部２０は、所定時間経過後にステップＳ２０の処理に移行し、この再生ボタンＳを非表示にする。
なお、録音内容の再生が終了すると、制御部２０は、この録音内容自動再生処理を終了し、この処理を実行する前の状態に移行し、所定の割り込み周期でこの録音内容自動再生処理を繰り返し実行する。
【００２６】
以上説明したように、本構成では、録音データファイルＤＡの録音地点が走行されると、その録音データファイルＤＡの再生を指示する再生ボタンＳを表示するので、ユーザは、録音データファイルＤＡを探す作業を行うことなく、その場所で録音した録音データファイルＤＡを容易かつ迅速に再生させることができる。
また、本構成では、録音開始地点から録音終了地点までの移動軌跡を示す走行履歴ファイルＤＢを記憶し、その移動軌跡のいずれか２点間の経路が走行されると再生ボタンＳを表示するので、その移動軌跡の一部の経路が走行されると、その移動軌跡で録音された録音データファイルＤＡを再生することができる。
【００２７】
しかも、本構成では、走行履歴ファイルＤＢ中の走行履歴上を同方向に移動中と判定した場合に上記再生ボタンＳを表示するので、ユーザがその走行経路を往復で走行した場合に、往路と復路とで異なる録音データファイルＤＡを再生させることができる。
さらに、この走行履歴ファイルＤＢ中に録音時点の時間情報を記憶し、録音地点を移動中で、かつ、現在時間が録音時点の時間情報と一致した場合に、再生ボタンＳを表示するので、例えば、午後に録音された録音データファイルＤＡを午後にのみ再生させることができ、また、録音地点を移動する時間（時間帯、日付、季節等）に応じて異なる録音データファイルＤＡを再生させることもできる。これにより、例えば、記念日（誕生日、クリスマス等）に録音した録音データファイルＤＡを、同場所で同日に容易に再生することが可能になる。
【００２８】
上述した実施形態は、あくまで本発明の一態様に過ぎず、本発明の範囲内で任意に変形が可能である。例えば、上述の実施形態においては、走行履歴ファイルＤＢ中の走行履歴上を同方向に移動中と判定した場合に再生ボタンＳを表示する場合を述べたが、走行履歴ファイルＤＢ中の走行履歴上を移動中と判定すれば（上記第２の判断条件のみを満足すれば）、再生ボタンＳを表示してもよい。
また、上述の実施形態では、現在時間が、走行履歴ファイルＤＢ中の録音時点の時間情報と一致するか否かの判定を行う場合について述べたが、この判定を省略してもよい。つまり、走行履歴ファイルＤＢ中の走行履歴上を走行中であれば、再生ボタンＳを表示してもよい。
【００２９】
また、上述の実施形態では、再生ボタンＳを表示し、この再生ボタンＳの操作を待って録音データファイルＤＡの再生を行う場合について述べたが、再生ボタンＳを表示することなく、録音データファイルの再生を開始してもよい。
また、上述の実施形態では、ラジオ放送を録音するナビゲーション装置に本発明を適用する場合について述べたが、ラジオ放送以外の音声情報（ＣＤＤＡ（Compact Disc Digital Audio）に記録された曲データ等）を記録再生する場合や、音声以外の情報（テレビ放送等の音声を含む映像情報等）を記録再生する場合にも本発明を適用することができる。また、ナビゲーション装置に限らず、現在地検出機能及び情報記録再生機能を持つＰＤＡ（Personal Digital Assistants）や携帯電話機等の記録再生装置に広く適用することが可能である。
【図面の簡単な説明】
【００３０】
【図１】本発明の録音再生装置の実施形態に係るナビゲーション装置の構成を示すブロック図である。
【図２】録音処理を示すフローチャートである。
【図３】走行履歴ファイルの一例を示す図である。
【図４】録音内容自動再生処理を示すフローチャートである。
【図５】ナビゲーション装置の表示例を示す図である。
【図６】録音内容自動再生処理の説明に供する図である。
【図７】録音内容自動再生処理の説明に供する表示例を示す図である。
【符号の説明】
【００３１】
１０  ナビゲーション装置
１１  ＧＰＳユニット
１２  ジャイロユニット
１３  車速検出部
１４  ラジオ受信部
１５  ビーコン受信部
１６  表示部
１７  指示入力部
１８  ユーザインタフェース部
１９  報音部
２０  制御部
２０Ａ  ＣＰＵ
２０Ｂ  計時回路
２１  記録装置
ＤＡ  録音データファイル（第１情報）
ＤＢ  走行履歴ファイル（第２情報）
Ｓ  再生ボタン
【図１】
2006268930.tif 000003
【図２】
2006268930.tif 000004
【図３】
2006268930.tif 000005
【図４】
2006268930.tif 000006
【図５】
2006268930.tif 000007
【図６】
2006268930.tif 000008
【図７】
2006268930.tif 000009